(57)【要約】【課題】高温によって影響を受けないようなやり方でハーネスに装着させることができる取付け装置を提供すること。【解決手段】取付け装置のための方法およびシステムが提供されている。取付け装置は、少なくとも２つの外殻を含んでおり、各々の外殻が、内側の面と外側の面を有し、外側の面は、第１の帯状の区域と、第２の帯状の区域と、第１の帯状の区域と第２の帯状の区域の間に延在する圧締め区域と、第１の帯状の区域および第２の帯状の区域のそれぞれの境界を定める一組の肩部とを含んでいる。取付け装置はまた、ワイヤ束を取り囲む仲介材を含んでおり、この仲介材は、実質的に通気性のない材料、硫化テープおよびシリコン材のうちの少なくとも１つを含んでいる。取付け装置はさらに、少なくとも１つの締め具を含んでおり、これは第１の帯状の区域または第２の帯状の区域に係合して、第１の外殻および第２の外殻をワイヤ束と仲介材に結合するように構成されている。【選択図】図１
2014096974.tif 000002
【特許請求の範囲】
【請求項１】
ワイヤ束を有する電気ハーネス用の取付け装置であって、
少なくとも２つの外殻であり、各々の外殻が内側面と外側面を有し、前記外側面が、
第１の帯状の区域と、第２の帯状の区域と、前記第１の帯状の区域と前記第２の帯状の区域の間に延在する圧締め区域と、
前記第１の帯状の区域および前記第２の帯状の区域それぞれの境界を定める一組の肩部であって、各々の肩部が、前記外側面から外向きに延在する隆起を有する一組の肩部とを備える少なくとも２つの外殻と、
前記ワイヤ束を取り囲む仲介材であって、実質的に通気性のない材料、硫化テープおよびシリコン材のうちの少なくとも１つを含む仲介材と、
少なくとも１つの締め具であって、前記第１の帯状の区域と前記第２の帯状の区域の少なくとも一方に係合して、前記第１の外殻と前記第２の外殻を結合させ、前記ワイヤ束と前記仲介材を部分的に取り囲むようにすることで、前記第１の外殻および前記第２の外殻の前記仲介材および前記ワイヤ束に沿った移動が制限されるように構成された少なくとも１つの締め具とを備える取付け装置。
【請求項２】
前記外殻がそれぞれ、およそ１８０度未満の角度を有するほぼ弓形の断面を有する、請求項１記載の装置。
【請求項３】
前記外殻がそれぞれ、およそ１６０度未満の角度を有するほぼ弓形の断面を有する、請求項２記載の装置。
【請求項４】
前記外殻がそれぞれ、およそ１５０度からおよそ１６０度の範囲の角度を有するほぼ弓形の断面を有する、請求項２記載の装置。
【請求項５】
前記外殻の少なくとも一方の前記内側の面が、前記面から外向きに延在する複数の突起を備え、前記突起が前記ワイヤ束および前記仲介材と接触するように配置されたとき、前記突起が前記ワイヤ束および前記仲介材を把持するように構成される、請求項１記載の装置。
【請求項６】
前記ワイヤ束が、互いに対してほぼ平行に前記取付け装置の中に延在する複数のワイヤを備え、前記複数の突起が、前記複数のワイヤに対して平行にならないように整列するぎざぎざのついた隆起を備える、請求項１記載の装置。
【請求項７】
前記複数の突起が、第１の方向に整列した複数の離間したぎざぎざのついた第１の隆起と、第２の方向に整列した複数の離間したぎざぎざのついた第２の隆起を備え、前記第２の方向が、前記第１の方向とは異なる、請求項６記載の装置。
【請求項８】
前記一組の肩部の一方の肩部が、同じ組の肩部の他方の肩部の高さより低い高さを含む、請求項１記載の装置。
【請求項９】
前記一方の肩部が、前記取付け装置の縁部に近接している、請求項８記載の装置。
【請求項１０】
前記圧締め区域が、相補的な取付けクランプを収容するように構成されており、前記取付けクランプが一定の幅を有し、前記圧締め区域が前記ワイヤに平行な方向で、前記取付けクランプの前記幅より大きな長さを含む、請求項１記載の装置。
【請求項１１】
前記少なくとも２つの外殻が、１セットの複数の外殻から選択可能であり、前記１セットの複数の外殻が、複数の厚さを有する外殻を含み、前記選択された少なくとも２つの外殻が、前記ワイヤ束および仲介材の外径と一致する内径と、前記取付けクランプの内径に一致する外径とを有するように選択される、請求項１０記載の装置。
【請求項１２】
特定の面に結合した取付けクランプにワイヤ束を取り付ける方法であって、
仲介材の少なくとも１つの層を利用して前記ワイヤ束を包み、仲介材の外側の層の外側の面が外径をなすステップと、
利用可能な複数の取付け外殻から少なくとも２つの取付け外殻を選択し、前記選択された少なくとも２つの取付け外殻が、第１の帯状の区域と、第２の帯状の区域と、前記第１の帯状の区域と前記第２の帯状の区域の間に延在する圧締め区域とを含み、前記選択された少なくとも２つの取付け外殻が、前記第１の帯状の区域と、前記第２の帯状の区域のそれぞれの境界を定める一組の肩部を含み、各々の肩部が、前記外側の面から外向きに延在する隆起を含んでおり、前記選択された少なくとも２つの取付け外殻の内径が、前記仲介材の前記外側の面の直径と一致し、前記選択された少なくとも２つの取付け外殻の外径が、前記取付けクランプの内径と一致するステップと、
前記選択された少なくとも２つの取付け外殻を、前記帯状の区域において前記仲介材の前記外側の層の前記外側の面にくくりつけるステップと、
前記くくりつけられた取付け外殻を前記取付けクランプの顎構成に挿入するステップとを含む方法。
【請求項１３】
前記第１の帯状の区域と、前記第２の帯状の区域のそれぞれの境界を定める前記一組の肩部の一方の肩部が、前記他方の肩部より低い高さであり、前記選択された少なくとも２つの取付け外殻をくくりつけるステップが、前記帯状の区域において前記短い方の肩部の上に延在するベルトを適用するステップを含む、請求項１２記載の方法。
【請求項１４】
ガスタービンエンジンと、
前記エンジンを少なくとも部分的に取り囲むナセルと、
前記ナセルの表面に結合された取付けクランプと、
前記取付けクランプの顎構成内に固定されたワイヤハーネス組立体を備える航空機のエンジンシステムであって、前記ワイヤハーネス組立体が、帯状の区域を取り囲むベルトを利用してワイヤハーネスの外側の面に結合された少なくとも２つの取付け外殻を含んでおり、前記帯状の区域が、前記少なくとも２つの取付け外殻の外側の面から離れるように延在する一組の浮き出した隆起によって境界が定められるシステム。
【請求項１５】
前記ワイヤ束と、前記少なくとも２つの取付け外殻の間で前記ワイヤ束を取り囲む仲介材をさらに備え、前記仲介材が、実質的に通気性のない材料、硫化テープおよびシリコン材のうちの少なくとも１つを含む、請求項１４記載のシステム。
【請求項１６】
前記少なくとも２つの取付け外殻の各々が、およそ１８０度未満の角度を有するほぼ弓形の断面を有する、請求項１４記載のシステム。
【請求項１７】
前記外殻の各々が、およそ１５０度からおよそ１６０度の範囲の角度を有するほぼ弓形の断面を有する、請求項１６記載のシステム。
【請求項１８】
前記少なくとも２つの取付け外殻の少なくとも一方のくぼんだ半径方向内側の面が、前記面から外向きに延在する複数の突起を備え、前記突起が前記ワイヤ束および前記仲介材と接触するように配置されたとき、前記突起が前記ワイヤ束および前記仲介材を把持するように構成される、請求項１４記載のシステム。
【請求項１９】
前記ワイヤ束が、互いに対してほぼ平行に前記取付け装置の中に延在する複数のワイヤを備え、前記複数の突起が、前記複数のワイヤに対して平行にならないように整列するぎざぎざのついた隆起を備える、請求項１８記載のシステム。
【請求項２０】
前記一組の浮き出した隆起の一方の浮き出した隆起が、前記同じ組の浮き出した隆起の他方の浮き出した隆起の高さより低い高さを含む、請求項１４記載のシステム。
【発明の詳細な説明】
【技術分野】
【０００１】
本開示の分野は取付け装置に関し、より詳細にはガスタービンエンジンの電気ハーネス用の取付け装置に関する。
【背景技術】
【０００２】
最も知られた電気機械システム（例えば自動車、航空機および船舶）は、特定の媒体としてワイヤを利用することで、その構成要素間で動力を提供したり、通信したりする。ワイヤが緩み、まとめられていないことによって、システム全体に複雑で扱いにくいワイヤ網が形成される場合があるため、同様に位置するワイヤが、たいていの場合一緒に束ねられることで（例えば電気ハーネスの形態で）より簡単かつ適切にワイヤをシステム内に固定しやすくし、これによりワイヤをシステムの作動に関連する悪影響（例えば振動、摩耗、湿気、熱など）から保護するのを助けている。
【０００３】
既知の取付け装置には、熱収縮ボビンが含まれ、これは、ドイツ、ウィルミントンのｐｅｒｆｏｒｍａｎｃｅ  ｅｌａｓｔｏｍｅｒｓ  ｄｉｖｉｓｉｏｎ  ｏｆ  Ｅ．  Ｉ．  ｄｕ  Ｐｏｎｔ  ｄｅ  Ｎｅｍｏｕｒｓ  ａｎｄ  Ｃｏｍｐａｎｙより商業的に入手可能なＶｉｔｏｎフルオロエラストマーから構築されている。このボビンは、ハーネスの端部上で引っ張られ、ハーネス上に位置決めされ、その後ボビンに加熱された空気を加えるヒートガンを利用してハーネスに対して熱収縮される。したがって取付け装置をハーネスの端部上で引っ張る必要のないようなやり方で、ハーネス上に位置決めすることができる取付け装置を提供することが有益である。
【０００４】
特定の高温条件下においてハーネスに収縮が生じる可能性があり、これによりハーネス上に位置決めされ装着された取付け装置がハーネスから外れ、取付け装置がハーネス内で前後に移動することが可能になる。したがって高温によって影響を受けないようなやり方でハーネスに装着させることができる取付け装置を提供し、より多くの様々な環境で取付け装置を使用することを可能にすることが有益である。
【先行技術文献】
【特許文献】
【０００５】
【特許文献１】米国特許出願公開第２０１３／０１６８１２９号公報
【発明の概要】
【課題を解決するための手段】
【０００６】
一態様において、ワイヤ束を有する電気ハーネス用の取付け装置は、少なくとも２つの外殻を含んでおり、各々の外殻は、内側面と外側面を有し、外側面が、第１の帯状の区域と、第２の帯状の区域と、第１の帯状の区域と第２の帯状の区域の間に延在する圧締め区域と、第１の帯状の区域および第２の帯状の区域のそれぞれの境界を定める一組の肩部とを含み、各々の肩部が、外側面から外向きに延在する隆起を含んでいる。取付け装置はまた、ワイヤ束を取り囲む仲介材を含んでおり、この仲介材は、実質的に通気性のない材料、硫化テープおよびシリコン材のうちの少なくとも１つを含んでいる。取付け装置はさらに、少なくとも１つの締め具を含んでおり、これは第１の帯状の区域と第２の帯状の区域の少なくとも一方に係合して、第１の外殻および第２の外殻を結合させ、ワイヤ束と仲介材を部分的に取り囲むようにすることで、第１の外殻および第２の外殻の仲介材およびワイヤ束に沿った移動が制限されるように構成されている。
【０００７】
別の態様では、ワイヤ束を特定の面に結合された取付けクランプに取り付ける方法は、仲介材の少なくとも１つの層を利用してワイヤ束を包むステップであって、仲介材の外側の層の外側の面が外径をなすステップと、複数の利用可能な取付け外殻から少なくとも２つの取付け外殻を選択するステップであって、選択された少なくとも２つの取付け外殻が第１の帯状の区域と、第２の帯状の区域と、第１の帯状の区域と第２の帯状の区域の間に延在する圧締め区域とを含み、選択された少なくとも２つの取付け外殻が、第１の帯状の区域および第２の帯状の区域のそれぞれの境界を定める一組の肩部を含み、各々の肩部が、外側の面から外向きに延在する隆起を含んでおり、選択された少なくとも２つの取付け外殻の内径が、仲介材の外側の面の直径と一致し、選択された少なくとも２つの取付け外殻の外径が、取付けクランプの内径と一致しているステップとを含む。方法はまた、選択された少なくとも２つの取付け外殻を帯状の区域において仲介材の外側の層の外側の面にくくりつけるステップと、くくりつけられた取付け外殻を取付けクランプの顎構成に挿入するステップとを含む。
【０００８】
さらに別の態様において、航空機のエンジンシステムは、ガスタービンエンジンと、エンジンを少なくとも部分的に取り囲むナセルと、ナセルの表面に結合された取付けクランプと、取付けクランプの顎構成内に固定されたワイヤハーネス組立体とを含んでおり、ワイヤハーネス組立体は、少なくとも２つの取付け外殻を含んでおり、これらは、少なくとも２つの取付け外殻の帯状の区域を取り囲むベルトを利用してワイヤハーネスの外側の面に結合されており、帯状の区域は、少なくとも２つの取付け外殻の外側の面から離れるように延在する一組の浮き出した隆起によって境界が定められている。
【図面の簡単な説明】
【０００９】
【図１】ガスタービンエンジンの概略図である。
【図２】図１に示されるガスタービンエンジンの電気ハーネスの概略図である。
【図３】線３−３に沿って切り取られた図２に示される電気ハーネスの概略断面図である。
【図４】図２に示される電気ハーネスの取付け装置の第１の実施形態の概略側面図である。
【図５】図２に示される電気ハーネスの取付け装置の第２の実施形態の概略側面図である。
【図６】図４および図５に示される取付け装置の一部の概略断面図である。
【図７】図２に示される電気ハーネスの取付け装置の一実施形態の概略側面図であり、金属環の表面から等しい距離だけ突出する内側および外側鍔を備えた締め具チャネルを有する。
【図８】図２に示される電気ハーネスの取付け装置の第３の実施形態の概略側面図であり、金属環の表面から変動する距離だけ突出する内側および外側の鍔を備えた締め具チャネルを有する。
【図９】従来の幅の圧締め区域を有する、図２に示される電気ハーネスの取付け装置の一実施形態の概略側面図である。
【図１０】幅広の圧締め区域を有する、図２に示される電気ハーネスの取付け装置の第４の実施形態の概略側面図である。
【図１１】ぎざぎざのついた内側の面を有する、図２に示される電気ハーネスの取付け装置の第５の実施形態の一部の等角投影概略図である。
【図１２】ぎざぎざのついた内側の面を有する、図２に示される電気ハーネスの取付け装置の第５の実施形態の一部の等角投影概略図である。
【図１３】図１３ａは図１１および図１２に示される取付け装置の概略断面図であり、図１３ｂは図２に示される電気ハーネスの取付け装置の第５の実施形態の概略側面図であり、図１３ｃは線１３−１３に沿って切り取られた、図１３ｂに示される取付け装置の概略断面図である。
【図１４】図２に示される電気ハーネスの取付け装置の第５の実施形態の概略側面図である。
【図１５ａ】幅の狭い外壁の厚さを有する、図２に示される電気ハーネスの取付け装置の第６の実施形態の概略端面図である。
【図１５ｂ】厚みのある外壁の厚さを有する、図２に示される電気ハーネスの取付け装置の第７の実施形態の概略端面図である。
【発明を実施するための形態】
【００１０】
以下の詳細な記載は、限定する目的ではなく一例によって取付け装置およびそれを組み立てる方法を記載している。この記載は明確に、当業者が取付け装置を作成しこれを利用することを可能にするべきであり、本記載は、取付け装置の複数の実施形態、適用、変形、変更および利用を記載しており、これらは、その最適な態様と目下考えられているものを含んでいる。取付け装置は、好ましい一実施形態に適用されるように本明細書に記載されており、すなわちこれは、ガスタービンエンジンまたは蒸気タービン用の電気ハーネスである。しかしながらこの取付け装置およびその組み立て方法は、ガスタービンエンジン以外の広範な範囲のシステム（例えば自動車、船舶、宇宙船など）における一般的な用途、ならびに／あるいは電気ハーネス以外の多様な商業的、工業的および／または消費用途（例えば管、ホース、リード線を有するセンサまたは点火リード線の取付け）を有する可能性があることが企図されている。
【００１１】
図１は、一例のガスタービンエンジン１００の概略図であり、これはファンシステム１０２と、圧縮機システム１０４と、燃焼器システム１０６と、高圧タービンシステム１０８と、低圧タービンシステム１１０とを含んでいる。作動中、周辺空気がファンシステム１０２を通って圧縮機システム１０４へと誘導され、そこで周辺空気が圧縮され、燃焼器システム１０６へと誘導される。燃焼器システム１０６において、圧縮された空気は燃料と混ぜ合わされ、点火され燃焼ガスを生成し、この燃焼ガスは、高圧タービンシステム１０８および低圧タービンシステム１１０を通るように誘導される。燃焼ガスは、その後排気システム１１２を介してガスタービンエンジン１００から排出される。他の実施形態では、ガスタービンエンジン１００が、好適なやり方で構成された好適な数のファンシステム、圧縮機システム、燃焼システムおよび／またはタービンシステムを含む場合もある。
【００１２】
図２は、例えばガスタービンエンジン１００で使用するための電気ハーネス２００の概略図であり、図３は、線３−３に沿って切り取られた電気ハーネス２００の概略断面図である。例示の実施形態では、電気ハーネス２００は、ワイヤ束２０２と、ワイヤ束２０２の端部２０６に結合した複数のコネクタ組立体２０４と、端部２０６の間でワイヤ束２０２に沿った中間の位置に結合された複数の取付け装置２０８とを含む。ワイヤ束２０２は、複数のワイヤ２１０を含んでおり、これは一部の例では、カバー２１２（例えば、編み材料の少なくとも１つの層、すなわち外装）の中に配置されることで、擦れおよび／または電磁干渉（ＥＭＩ）からワイヤ２１０を保護しやすくする。ワイヤ束２０２は、主要な部分２１４と、主要な部分２１４から延出する複数の外に飛び出した部分２１６とを有し、これによりガスタービンエンジン１００の中にワイヤ２１０を通しやすくすることができる。
【００１３】
各々のコネクタ組立体２０４は、筐体（例えば円筒形の後部外殻２１８）と、その中に配置された複数の電気ピン（図示せず）を含むことで、筐体によってワイヤ２１０とピンの間の接触面の保護および／または支持が容易になる。一例の実施形態では、コネクタ組立体２０４の断面（例えば筐体の直径）は、ワイヤ束２０２の断面（例えばカバー２１２の直径）より大きい。他の実施形態において、コネクタ組立体２０４は、ワイヤ束２０２に対して任意の好適なサイズおよび／または形状を有する場合がある。以下により詳細に記載するように、取付け装置２０８がワイヤ束２０２に結合されることで（例えば、カバー２１２の頂部）、ガスタービンエンジン１００内の所望の場所に電気ハーネス２００を取り付けやすくなる。
【００１４】
図４は、本開示の一例の実施形態による電気ハーネス２００で利用することを目的とした取付け装置２２０の側面図である。一例の実施形態では、取付け装置２２０は、第１の外殻２２２と、第２の外殻２２４と、第１の外殻２２２と第２の外殻２２４をワイヤ束２０２の周りに結合させる少なくとも１つの締め具２２６（例えば、一組の環状の帯平ひもまたはジップタイ）とを含んでおり、これについては以下により詳細に記載する。硫化テープ２０５が、遮蔽テープ２０３の周りに巻き付けられ、この遮蔽テープは、ワイヤ束２０２のカバー２１２の周りに巻き付けられる。一実施形態によると、硫化テープ２０５は、高温下で溶融するブラックシリコン性の硫化テープであり得る。遮蔽テープ２０３は、例えばガラスファイバテープなどの実質的に通気性のないテープであってよく、これにより硫化テープ２０５が、ワイヤ束２０２のカバー２１２へと硫化するのを阻止する。遮蔽テープ２０３を使用することによって、遮蔽テープを取り外すことによって、ワイヤ束２０２から硫化した硫化テープ２０５を取り外して、その下のワイヤ束２０２に対するメンテナンスを可能にすることができる。
【００１５】
図５は、図２に示される電気ハーネス２００の取付け装置２２０の第２の実施形態の側面図である。この代替の実施形態では、ワイヤ束２０２のカバー２０７と、取付け装置２２０の間に緩衝材２２５が配置される。一実施形態によると、緩衝材２２５は、例えば未加硫シリコン（例えばブルーシリコン）などの実質的に可撓性の材料であり、華氏５００度を超える融点を有する。緩衝材２２５を利用することで、高温における取付け装置２２０によってワイヤ束２０２に及ぼされる圧締め力を維持し、ワイヤ束２０２が前後に移動するのを阻止する。他のタイプの仲介材、例えばエンジンの作動の熱が原因で溶融し薄くなる材料によって、ワイヤ束２０２が取付け装置２２０を通り抜けて前後に移動するのを可能にする。
【００１６】
取付け装置２２０をワイヤ束２０２に結合するために、第１および第２の外殻２２２、２２４が、ワイヤ束２０２に対して据えられる。図４および図５に示される実施形態によると、緩衝材２２５、または遮蔽テープ２０３と加硫テープ２０５を組み合わせたもの（例えば、仲介媒体）をワイヤ束２０２と取付け装置２２０の間に位置決めすることができる。その後締め具２２６が、締め具シート２４６、２５４上の第１および第２の外殻２２２、２２４の周りに比較的緩めに結合される（例えば、第１の外殻２２２と第２の外殻２２４は、ワイヤ束２０２（または仲介材）に接触した状態で維持されるが、ワイヤ束２０２（または仲介材）に沿って一緒に摺動可能である）。その後締め具２２６がきつく締められることで、第１の外殻２２２と第２の外殻２２４が、互いに向かって配置され、第１の外殻２２２と第２の外殻２２４はもはやワイヤ束２０２に沿って摺動することはできない（例えば第１の外殻２２２と、第２の外殻２２４は、ワイヤ束２０２（または仲介材）を圧縮するように互いに向かって配置され、この圧縮力が、第１の外殻２２２および第２の外殻２２４のワイヤ束２０２に沿った移動を制限する）。締め具２２６は、第１のリブ２４２、２４４と、第２のリブ２５０、２５２の間にある締め具シート２４６、２５４上にそれぞれ据えられるため、締め具２２６は、第１の外殻２２２および第２の外殻２２４に対してワイヤ束２０２に沿って移動することが制限される。本明細書に記載される全ての実施形態に関して、第１の外殻２２２および第２の外殻２２４は、機械的締め具２２６を使用してワイヤ束２０２に結合するように構成されるように記載されているが、締め具２２６の代わりに、あるいはそれに加えて外殻２２２、２２４と、ワイヤ束２０２の間に配置された接着剤を利用して、外殻２２２、２２４をワイヤ束２０２に固定しやすくする場合もある。
【００１７】
取付け装置２２０が、上記に述べたやり方でワイヤ束２０２に結合された後、取付け装置２２０が、ガスタービンエンジン１００の好適な面（例えば、ガスタービンエンジン１００のケーシング）に固定された締め付け機構（例えば、ブルームクリップ、クラムシェルクリップまたはｐ−クランプ）内に係合されることによって、ガスタービンエンジン１００に結合させることができ、これによりガスタービンエンジン１００の締め付け機構が、内側の第１のリブ２４２と、第２のリブ２５０の間の取付けシート２５８に対して据えられる。締め付け機構は、内側の第１のリブ２４２と、第２のリブ２５０の間で取付け装置２２０に結合されるため、取付け装置２２０は、締め付け機構に対して移動することが制限され、これにより作動中電気ハーネス２００をガスタービンエンジン１００の所望される場所に固定する。
【００１８】
図６は、図４および図５に示される取付け装置の一部の概略断面図である。一例の実施形態では、第１の外殻２２２および第２の外殻２２４は概ね半円筒形である（すなわち第１の外殻２２２および第２の外殻２２４は、断面において概ね弓形であり、１８０度未満の内側の面２２８（図６、１１、１５ａおよび１５ｂに示される）を有する）ことで、一緒に結合される際、第１の外殻２２２と、第２の外殻２２４は、ワイヤ束２０２を収容するようにサイズが決められた略円筒形を形成する。一実施形態によると、第１の外殻２２２および第２の外殻２２４はそれぞれ、半円の１８０度よりおよそ３０度小さくなるように成形されることで、あるサイズの取付け措置２２０を様々なワイヤ束２０２の直径に使用することが可能になる。他の実施形態によると、第１の外殻２２２および第２の外殻２２４のそれぞれが、半円の１８０度より任意の角度だけ小さくなるように成形される場合もある。
【００１９】
図７は、図２に示される電気ハーネス２００の取付け装置２２０の一実施形態の概略側面図であり、一実施形態によると外側の面２３４から等しい距離だけ突出する内側リブ２４２、２５０と、外側リブ２４４、２５２を備えた肩部２４０、２４８を有する。図８は、図２に示される電気ハーネス２００の取付け装置２２０の第３の実施形態の概略側面図であり、外側の面２３４から変動する距離だけ突出する内側リブ２４２、２５０と、外側リブ２４４、２５２を備えた肩部２４０、２４８を有する。一例の実施形態では、第１の外殻２２２および第２の外殻２２４はそれぞれ、第１の端部領域２３６、第２の端部領域２３８および中央領域２５６に分割される外側の面２３４を有する。各々の第１の端部領域２３６は、その間に第１の締め具シート２４６を画定するように離間された内側および外側の第１のリブ２４２、２４４を有する第１の肩部２４０を含む。同様に各々の第２の端部領域２３８は、その間に第２の締め具シート２５４を画定するように離間された内側および外側の第２のリブ２５０、２５２を有する第２の肩部２４８を含む。第１の端部領域２３６から第２の端部領域２３８まで中央領域２５６が延在している。第２の締め具シート２５４の水平方向の幅Ｈ１は、幅Ｈ２より大きい。第２の締め具シート２５４（および対応する第１の締め具シート２４６（図４に示される））の幅を縮小することによって、取付け装置２２０の全体の幅を縮小することで、他の構成要素で満たされた環境に取付け装置２２０を設置しやすくすることができる。幅Ｈ１から幅Ｈ２に有意に縮小するために、外側のリブ２５２の高さＤ３が、高さＤ２だけ縮小されることで、締め具クリップ２２７の一部が、外側のリブ２５２を越えて延出することができる。外側リブ２５２の高さＤ４は、締め具２２６が第２の締め具シート２５４から外に摺動するのを阻止するように十分に残される。
【００２０】
図９は、図２に示される電気ハーネス２００の取付け装置２２０の一実施形態の概略側面図であり、第１の圧締め区域２２９を有する。図１０は、図２に示される電気ハーネス２００の取付け装置２２０の第４の実施形態の概略側面図であり、第１の圧締め区域２２９の幅Ｈ３より大きな幅Ｈ５を有する第２の圧締め区域２３１を有する。第１の外殻２２２および第２の外殻２２４が、設置する際にわずかにずれた場合には、設置装置を必要とせずに中央領域２５６（図４に示される）の周りにクランプを配置することができ、第１の外殻２２２と第２の外殻２２４を切り離して再度位置決めすることで、それらをほぼ一列に並べることが望ましい。この作業を容易にするために、中央領域２５６の第１の圧締め区域２２９は、幅Ｈ４が幅Ｈ６に縮小されるように、内側リブ２４２、２５０を外側リブ２４４、２５２の方向に移動させることによって幅を広げることができ、締め具２２６の締め具クリップ２２７は、締め具クリップ２２７の一部が外側リブ２５２を越えて延出するように位置決めされる。内側リブ２４２、２５０を外側リブ２４４、２５２に向けて水平方向に移動させることによって、中央領域２５６の幅Ｈ３が幅Ｈ５まで拡大し、中央領域２５６のより幅広の第２の圧締め区域２３１を設置装置に利用することで、クリップ（図示せず）の配置をより柔軟なものにする。
【００２１】
図１１および図１２は、図２に示される電気ハーネス２００の取付け装置２２０の第５の実施形態の一部の等角投影図であり、内側の面になだらかな起伏を有する。図１１は、１８０度未満の断面の円弧を有する取付け装置２２０を示している。図１２は、およそ１５０度の断面円弧を有する取付け装置２２０を示している。取付け装置２２０の縁部の面は、円弧の半径方向の面と一致する場合、あるいは円弧の弦に平行に形成される場合がある。図１３ａは、図１１および図１２に示される取付け装置２２０の概略断面図である。図１３ｂは、取付け装置２２０の第５の実施形態の概略側面図である。図１３ｃは、線１３−１３に沿って切り取られた、図１３ｂに示される取付け装置２２０の概略断面図である。図１４は、図１１および図１２に示される電気ハーネス２００の取付け装置２２０の第５の実施形態の側面図である。この実施形態によると、内側の面２２８がなだらかな起伏を有する場合があり、この起伏は、ワイヤ束２０２に沿って変化することにより、ワイヤ束２０２上の第１の外殻２２２および第２の外殻２２４を容易に把持できるように改善することができる（例えば、内側の面２２８は、弓状に延出する隆起など少なくとも１つの突起２３３を有する場合があり、これによりワイヤ束２０２を把持しやすくする）。
【００２２】
図１５ａは、図２に示される電気ハーネス２００の取付け装置２２０の第６の実施形態の概略端面図であり、幅の狭い外壁の厚さと、内側半径Ｒ１とを有する。図１５ｂは、図２に示される電気ハーネス２００の取付け装置２２０の第７の実施形態の概略端面図であり、厚みのある外壁の厚さと、比較的小さな（半径Ｒ１と比べて）内側半径Ｒ３とを有する。取付け装置２２０の外側半径Ｒ２を均一に維持し、内径を変化させることによって、一般的なサイズのクリップ（図示せず）を使用して、異なる直径のワイヤ束２０２を保持することができる。これにより、ガスタービンエンジン１００の締め付け機構（例えばブルームクリップ）における変化を最小限にし、その一方で、ワイヤ束２０２の直径の変動を可能にすることによって、より一貫性が高まり、ガスタービンエンジン１００の締め付け機構に関連するコストが低下することになる。
【００２３】
本明細書に記載される方法およびシステムによって、電気ハーネスのコネクタ組立体の構成に余り影響されないようなやり方で電気ハーネス上に配置することができる取付け装置を提供することが容易になる。本明細書に記載される方法およびシステムによって、電気ハーネスのワイヤ束に沿った前後の移動が制限された取付け装置を提供することも容易になる。本明細書に記載される方法およびシステムによってさらに、より高温用途においてもより耐久性のある取付け装置を提供することが容易になる。本明細書に記載される方法およびシステムによってさらに、電気ハーネスと、エンジンの締め付けシステム間の嵌合を改善させることが容易になり、さらにハーネスの束の直径の変動を補償することによって、電気ハーネスを取り付けるのに必要なエンジン締め付けシステムのサイズを縮小し、その一方で締め付けシステムの接触面の寸法決定を維持することが容易になる。したがって本明細書に記載される方法およびシステムによって、取付け装置の製造、設置および維持に関連する時間およびコストの削減が容易になる。
【００２４】
取付け装置およびその組み立て方法の一例の実施形態が上記に詳細に記載されている。方法およびシステムは、本明細書に記載される特定の実施形態に限定されるのではなく、むしろ、本明細書に記載される他の構成要素と独立してそれとは別個に利用される場合もある。例えば本明細書に記載される方法およびシステムは、他の工業的および／または消費用途を有する場合もあり、本明細書に記載されるガスタービンエンジンの電気ハーネスのみと共に実施するように限定されるものではない。むしろ本開示は、多くの他の産業に関連して実装され利用することができる。
【００２５】
この書面による記載は、本発明を開示することを目的とした最適な態様を含む例を利用しており、また任意の装置またはシステムを作製し利用すること、ならびに任意の採用された方法を実行することを含め、当業者が本発明を実施することができるようにするものである。本発明の特許可能な範囲は、特許請求の範囲によって定義されており、当業者が思い付く他の例を含むことができる。このような他の例は、それらが特許請求の範囲の文字通りの言い回しと相違ない構造上の要素を含む場合、あるいはそれらが特許請求の範囲の文字通りの言い回しとわずかな相違点を有する等価な構造上の要素を含む場合、特許請求の範囲の範囲内にあることが意図されている。
【符号の説明】
【００２６】
１００  ガスタービンシステム
１０２  ファンシステム
１０４  圧縮機システム
１０６  燃焼器システム
１０８  高圧タービンシステム
１１０  低圧タービンシステム
２００  電気ハーネス
２０２  ワイヤ束
２０３  遮蔽テープ
２０４  コネクタ組立体
２０５  硫化テープ
２０６  端部
２０７  カバー
２０８  取付け装置
２１０  ワイヤ
２１２  カバー
２１４  主要な部分
２１６  外に飛び出した部分
２１８  後部外殻
２２０  取付け装置
２２２  第１の外殻
２２４  第２の外殻
２２５  緩衝材
２２６  締め具
２２７  締め具クリップ
２２８  内側の面
２２９  第１の圧締め区域
２３１  第２の圧締め区域
２３３  突起
２３４  外側の面
２３６  第１の端部領域
２３８  端部領域
２４０  肩部
２４２  内側リブ
２４４  外側リブ
２４６  第１の締め具シート
２４８  肩部
２５０  内側リブ
２５２  外側リブ
２５４  第２の締め具シート
２５６  中央領域
２５８  取付けシート
Ｄ２、Ｄ３、Ｄ４  高さ
Ｈ１、Ｈ２、Ｈ３、Ｈ４、Ｈ５、Ｈ６  幅
Ｒ１、Ｒ２、Ｒ３  半径
【図１】
2014096974.tif 000003
【図２】
2014096974.tif 000004
【図３】
2014096974.tif 000005
【図４】
2014096974.tif 000006
【図５】
2014096974.tif 000007
【図６】
2014096974.tif 000008
【図７】
2014096974.tif 000009
【図８】
2014096974.tif 000010
【図９】
2014096974.tif 000011
【図１０】
2014096974.tif 000012
【図１１】
2014096974.tif 000013
【図１２】
2014096974.tif 000014
【図１３】
2014096974.tif 000015
【図１４】
2014096974.tif 000016
【図１５ａ】
2014096974.tif 000017
【図１５ｂ】
2014096974.tif 000018
【外国語明細書】
2014096974000001.pdf